(57)【要約】【課題】  回路設計の制約なしに、プリント基板における最適な位置に電池を搭載させることができる基板取付け用部材およびプリント基板への電池の実装方法を提供することを目的とする。【解決手段】  基板取付け用部材１０は、シングルボードコンピュータと平行な水平板部１１Ｂが形成されているブラケット１１と、水平板部１１Ｂに取り付けられ、乾電池３２がインシュロック３１により固定される固定用ブラケット２１から形成されている。これにより、シングルボードコンピュータに穴加工などの処理を行うことなく、シングルボードコンピュータ上の回路配置に応じて、シングルボードコンピュータにおける最適な位置に、乾電池３２を搭載させることができる。【選択図】        図３
2006085904.tif 000002
【特許請求の範囲】
【請求項１】
複数の電子部品が搭載され、電池により給電がバックアップされるプリント基板を、筐体に取り付けるための基板取付け用部材であって、
前記プリント基板に装着された状態で前記プリント基板の電子部品搭載面と平行で、かつ矩形板状に形成される水平板部を備え、前記プリント基板に対して着脱自在である本体部と、
前記水平板部に取り付けられ、前記電池が固定具により固定される電池固定部
から形成されていること
を特徴とする基板取付け用部材。
【請求項２】
前記電池固定部の形状は、前記プリント基板の電子部品の空きスペースと前記電池の形状によって設定されること
を特徴とする請求項１に記載の基板取付け用部材。
【請求項３】
前記固定具として、前記電池を前記電池固定部に縛る、電気絶縁部材からなる条材を使用すること
を特徴とする請求項１または請求項２に記載の基板取付け用部材。
【請求項４】
前記固定具として、前記電池固定部に前記電池を両端から支持する弾性部を形成すること
を特徴とする請求項１または請求項２に記載の基板取付け用部材。
【請求項５】
複数の電子部品が搭載され、電池により給電がバックアップされるプリント基板を、筐体に取り付けるための基板取付け用部材によるプリント基板への電池の実装方法であって、
前記プリント基板に装着された状態で前記プリント基板の電子部品搭載面と平行で、かつ前記プリント基板に対して着脱自在な本体部に矩形板状に形成されている水平板部に、電池固定部を取り付け、
固定具により前記電池を前記電池固定部に固定すること
を特徴とするプリント基板への電池の実装方法。
【発明の詳細な説明】
【技術分野】
【０００１】
本発明は、たとえば複数の電子部品が搭載され、電池により給電がバックアップされるプリント基板を、筐体に取り付けるための基板取付け用部材およびプリント基板への電池の実装方法に関するものである。
【背景技術】
【０００２】
従来のプリント基板へバックアップする電池を実装する方法として、例えば特許文献１が開示されている。
このプリント基板への電池の実装方法は、電気絶縁部材からなる条材、例えば樹脂製のインシュロックタイを、プリント配線板に形成されている貫通孔に通過させつつ掛渡して、電池をプリント配線板の電池搭載部分に固定させている。
【０００３】
この構成により、プリント基板に対する電池の固定化を容易に行うことができるため、作業効率が改善される。
【特許文献１】特開平３−７８９６３号公報
【発明の開示】
【発明が解決しようとする課題】
【０００４】
しかし、上記した従来の実装方法によると、インシュロックタイを挿通させるための貫通孔をプリント基板に形成しなければならず、狭小のプリント基板上のスペースが占有されることとなるため、回路設計の制約となるという問題がある。
【０００５】
そこで本発明は、回路設計の制約なしに、プリント基板における最適な位置に電池を搭載させることができる基板取付け用部材およびプリント基板への電池の実装方法を提供することを目的としている。
【課題を解決するための手段】
【０００６】
前記した目的を達成するために、本発明の請求項１に記載の発明は、複数の電子部品が搭載され、電池により給電がバックアップされるプリント基板を、筐体に取り付けるための基板取付け用部材であって、前記プリント基板に装着された状態で前記プリント基板の電子部品搭載面と平行で、かつ矩形板状に形成される水平板部を備え、前記プリント基板に対して着脱自在である本体部と、前記水平板部に取り付けられ、前記電池が固定具により固定される電池固定部から形成されていることを特徴としたものである。
【０００７】
上記構成によれば、基板取付け用部材の本体部に形成されている水平板部に、所望の電池固定部を取り付け、固定具により電池を電池固定部に固定することにより、本体部よりも上方に過度に電池を突出させることなく、プリント基板上の回路配置に応じて、プリント基板における最適な位置に電池が搭載される。また、水平板部が形成されていない既設のプリント基板の基板取付け用部材と、本発明の基板取付け用部材を取り替えることにより、既設のプリント基板に対しても、回路配置に応じて、プリント基板における最適な位置に電池が搭載される。
【０００８】
また、請求項２に記載の発明は、請求項１に記載の発明であって、前記電池固定部の形状は、前記プリント基板の電子部品の空きスペースと前記電池の形状によって設定されることを特徴としたものである。
【０００９】
上記構成によれば、プリント基板の回路配置、および電池の形状に応じて、適宜、所望の形状の電池固定部が使用されるため、プリント基板における最適な位置に電池が搭載される。
【００１０】
そして、請求項３に記載の発明は、請求項１または請求項２に記載の発明であって、前記固定具として、前記電池を前記電池固定部に縛る、電気絶縁部材からなる条材を使用することを特徴としたものである。
【００１１】
上記構成によれば、電気絶縁部材からなる条材である固定具により、電池固定部と電池の側面とが当接された状態で、電池が電池固定部に固定される。
さらに、請求項４に記載の発明は、請求項１または請求項２に記載の発明であって、前記固定具として、前記電池固定部に前記電池を両端から支持する弾性部を形成することを特徴としたものである。
【００１２】
上記構成によれば、電池固定部に弾性部が形成されているため、弾性部の弾性力を利用することにより、電池固定部に電池が固定される。
しかも、請求項５に記載の発明は、複数の電子部品が搭載され、電池により給電がバックアップされるプリント基板を、筐体に取り付けるための基板取付け用部材によるプリント基板への電池の実装方法であって、前記プリント基板に装着された状態で前記プリント基板の電子部品搭載面と平行で、かつ前記プリント基板に対して着脱自在な本体部に矩形板状に形成されている水平板部に、電池固定部を取り付け、固定具により前記電池を前記電池固定部に固定することを特徴としたものである。
【００１３】
上記構成によれば、基板取付け用部材に形成されている水平板部に、所望の電池固定部を取り付け、電池が固定具により電池固定部に固定されることにより、プリント基板の回路配置に応じて、プリント基板における最適な位置に電池が搭載される。
【発明の効果】
【００１４】
本発明の基板取付け用部材およびプリント基板への電池の実装方法は、基板取付け用部材の本体部に形成されている水平板部に、プリント基板上の回路配置に応じた電池固定部を取り付け、固定具により電池を電池固定部に固定することにより、プリント基板に加工を施すことなく、またプリント基板上の回路配置に応じて、プリント基板における最適な位置に電池を搭載させることができる。
【００１５】
また、プリント基板における最適な位置に、電池を搭載させることができるため、プリント基板の回路設計を行う際、プリント基板上に電池を搭載させるための領域を考慮する必要がなくなり、したがって回路設計の制約をなくすことができる。
【発明を実施するための最良の形態】
【００１６】
以下に、本発明の実施の形態における基板取付け用部材およびプリント基板への電池の実装方法について、図面を参照しながら説明する。
本実施の形態は、複数の電子部品が搭載され、電池により給電がバックアップされるプリント基板を、筐体（例えばユニット）に取り付けるための基板取付け用部材およびプリント基板への電池の実装方法である。
【００１７】
図１，図２において、様々な電子部品，ＩＣ，ＣＰＵが搭載されているシングルボードコンピュータ（プリント基板の一例）１（ＣＰＵボードともいう）は、一側に、Ｄ−ｓｕｂ９ピンコネクタ（シリアルインターフェース）２と、Ｄ−ｓｕｂ１５ピンコネクタ（ビデオインターフェース）３と、ミニＤＩＮ６ピンコネクタ（キーボード・マウスインターフェース）４などを備えており、これら各コネクタ２，３，４には、基板取付け用部材１０のブラケット（本体部の一例）１１が、ナット（締付具の一例）５によりシングルボードコンピュータ１に対して着脱自在に取り付けられている。
【００１８】
図３に示すように、上記ブラケット１１は、矩形板状に形成され、各コネクタ２，３などを挿通させるための複数の挿通枠１２およびコネクタ２，３のネジ部を挿通させるための複数の貫通孔１３が形成されている鉛直板部１１Ａと、連結ネジ（連結具の一例）６を鉛直方向に挿通させるための２つ（複数）の挿通孔１４が形成され、鉛直板部１１Ａから水平方向に折曲されてシングルボードコンピュータ１の上方にシングルボードコンピュータ１と平行に形成されている水平板部１１Ｂとから形成されている。
【００１９】
ブラケット１１の水平板部１１Ｂに取り付けられる基板取付け用部材１０の固定用ブラケット（電池固定部の一例）２１は、連結ネジ６を螺合する２つ（複数）のネジ孔２２が形成されている固定板部２１Ａと、固定板部２１Ａから鉛直方向に折曲されて形成され、インシュロック（電気絶縁部材からなる条材、固定具の一例）３１により乾電池（電池の一例）３２が乾電池３２の側面と当接された状態で固定される取付部２１Ｂとから形成され、連結ネジ６によりブラケット１１の水平板部１１Ｂに取り付けられる。なお、取付部２１Ｂの両端には爪部２１Ｃが形成されており、乾電池３２が取付部２１Ｂの長軸方向にずれることを防止している。
【００２０】
ここで、図１，図２に示すように、シングルボードコンピュータ１上におけるコネクタ２，３，４の近傍の位置で、高さの低い電子部品等が配置され、水平方向に配置される乾電池３２が入る広さを有し、水平方向に配置された乾電池３２における鉛直方向の高さが水平板部１１Ｂよりも上方に過度に突出しないことが補償される領域である領域Ａを求め、固定板部２１Ａを、ブラケット１１の水平板部１１Ｂから前記求めた領域Ａまでの長さに形成し、領域Ａの上方に乾電池３２を配置することができる固定用ブラケット２１を設定（選択）する。
【００２１】
これにより、シングルボードコンピュータ１の回路配置による電子部品の空きスペースによって、適宜、所望の形状の固定用ブラケット２１が設定される。
以下に、上記した実施の形態における作用を、図に基づいて説明する。
【００２２】
図３に示すように、ブラケット１１の各挿通孔１４と固定用ブラケット２１の各ネジ孔２２を挿通状態として、ブラケット１１の水平板部１１Ｂの下方に、上述のように設定された固定用ブラケット２１の固定板部２１Ａを当接させ、連結ネジ６によりブラケット１１に固定用ブラケット２１を固定させた後、インシュロック３１により固定用ブラケット２１の取付部２１Ｂの側面に乾電池３２を固定する。
【００２３】
これにより、ブラケット１１に形成されている水平板部１１Ｂに、上記領域Ａに応じた固定用ブラケット２１を取り付け、乾電池３２の側面と当接された状態で、乾電池３２がインシュロック３１により固定用ブラケット２１に固定されることにより、シングルボードコンピュータ１上の回路配置に応じて、シングルボードコンピュータ１の上方における最適な位置に乾電池３２が搭載される。
【００２４】
以上のように実施の形態によれば、ブラケット１１に形成されている水平板部１１Ｂに、シングルボードコンピュータ１上の回路配置に応じた固定用ブラケット２１を取り付け、インシュロック３１により乾電池３２を固定用ブラケット２１に固定することにより、シングルボードコンピュータ１に穴加工などの処理を行うことなく、シングルボードコンピュータ１上の回路配置に応じて、シングルボードコンピュータ１の上方における最適な位置に、約１０年の寿命を持つ乾電池３２を搭載させることができる。
【００２５】
また、実施の形態によれば、シングルボードコンピュータ１の上方における最適な位置に、乾電池３２を搭載させることができるため、シングルボードコンピュータ１の回路設計を行う際、シングルボードコンピュータ１上に電池を搭載させるための領域を考慮する必要がなくなり、したがって回路設計の制約をなくすことができる。
【００２６】
また、実施の形態によれば、ブラケット１１はシングルボードコンピュータ１に着脱自在であり、既設のシングルボードコンピュータに取り付けられている既設のブラケットと交換することができるため、既設のシングルボードコンピュータに基板取付け用部材１０を取り付けることにより、既設のシングルボードコンピュータの上方における最適な位置に、乾電池を搭載させることができる。
【００２７】
なお、実施の形態では、図３に示すように、インシュロック３１により固定用ブラケット２１の取付部２１Ｂに乾電池３２を固定していたが、図４に示すように、取付部２１Ｂの爪部２１Ｃを弾性部（固定具の一例）２１Ｄとし、すなわち固定具として固定用ブラケット２１に乾電池３２を両端から支持する弾性部２１Ｄを形成して、この弾性部２１Ｄの弾性力を利用して乾電池３２を固定してもよい。
【００２８】
また、実施の形態では、乾電池３２が使用されていたが、給電のバックアップを行うことができる電池であれば、他の形状の電池であってもよい。
また、実施の形態では、電気絶縁部材からなる条材として、インシュロック３１を使用しているが、インシュロック３１に限ることはなく、電気絶縁部材からなるヒモ状のもので、乾電池３２を縛る（固定）ことができるものであればよい。
【図面の簡単な説明】
【００２９】
【図１】本発明の実施の形態におけるシングルボードコンピュータの斜視図である。
【図２】同ブラケットの斜視図である。
【図３】同ブラケットと固定用ブラケットの分解斜視図である。
【図４】同弾性部を有する固定用ブラケットの斜視図である。
【符号の説明】
【００３０】
１            シングルボードコンピュータ（プリント基板）
１０          基板取付け用部材
１１          ブラケット（本体部）
１１Ｂ        水平板部
２１          固定用ブラケット（電池固定部）
２１Ｄ        弾性部
３１          インシュロック（固定具）
３２          電池（乾電池）
【図１】
2006085904.tif 000003
【図２】
2006085904.tif 000004
【図３】
2006085904.tif 000005
【図４】
2006085904.tif 000006